(57)【特許請求の範囲】
【請求項１】
互いに平行に対向するように配置された第１板ガラス及び第２板ガラスを備え、前記第１板ガラスにおける前記第２板ガラスを向く第１面のほぼ全域に半透明膜が被膜され、前記第２板ガラスが、光を散乱させる光散乱ガラスであり、前記第１面には、前記半透明膜が被膜されていない非被膜部が一様に分布されていることを特徴とする窓装置。
【請求項２】
前記半透明膜が前記第１面の９０％以上を占めていることを特徴とする請求項１に記載の窓装置。
【請求項３】
前記非被膜部が、幅１ｍｍ以下の線状部からなる線模様を構成していることを特徴とする請求項１又は２に記載の窓装置。
【請求項４】
前記第１板ガラスと前記第２板ガラスとの間に気体層が形成され、前記第１面ひいては前記半透明膜が前記気体層に面していることを特徴とする請求項１〜３の何れか１項に記載の窓装置。
【請求項５】
前記第１板ガラスと前記第２板ガラスとが、透明な接着剤層を介して貼り合わされていることを特徴とする請求項１〜３の何れか１項に記載の窓装置。
【請求項６】
前記第２板ガラスが、片面に凸凹模様が形成され、かつ反対側の面が平坦な型板ガラスにて構成され、前記片面が前記第１板ガラスを向いていることを特徴とする請求項１〜５の何れか１項に記載の窓装置。
【請求項７】
当該窓装置全体の可視光に対する透過率が、１％〜２０％であることを特徴とする請求項１〜６の何れか１項に記載の窓装置。
【発明の詳細な説明】
【技術分野】
【０００１】
本発明は、窓装置に関し、特に浴室、トイレ等の、プライバシーを確保し、かつ採光性も確保したい場所の窓として好適な窓装置に関する。
【背景技術】
【０００２】
一般に、浴室の窓ガラスとして型板ガラスが用いられている。型板ガラスを２枚重ねて複層ガラスにしたものも知られている。
【０００３】
特許文献１の窓装置は、複層ガラスの各板ガラスにサンドブラストやシルク印刷等によって縞模様の不透明部（又は半透明部）を形成してある。各板ガラスの全面積に対する不透明部の面積の割合は約５０％である。２枚の板ガラスの不透明部は、互いに同じ高さに配置してもよく、互いに高さをずらして配置してもよい。
【先行技術文献】
【特許文献】
【０００４】
【特許文献１】特開２００５−１０５６５３号公報
【発明の概要】
【発明が解決しようとする課題】
【０００５】
浴室の窓ガラスを型板ガラスにすることで、外から見た室内の人影をぼかすことができる。しかし、ぼやけてはいてもそれが人の像であることは大まかな形、色合い、コントラスト、動き等から認識可能である（後記比較例１参照）。特に、夜間は浴室内を照明するために外部から見易くなる。型板ガラスを２枚重ねて複層ガラスにしても状況はあまり変わらない。
そこで、いわゆる目隠しシートと呼ばれる粘着性の半透明シートを窓ガラスの全面に貼ることが考えられる。しかし、目隠しシートは湿気や風雨に晒されることで特に角の部分が剥がれやすく、かつ剥がれた部分に汚れが付きやすい。そのため、しばしば貼り替えるなどのメンテナンスが求められる。また、目隠しシートによって室内の人の像を外部から確実に見えなくするには、目隠しシートの光透過率をかなり低く（例えば０．１％未満に）する必要があり、そうすると、昼間、採光性が悪く、室内が暗くなってしまう。
特許文献１では、２枚の板ガラスの不透明部の高さを互いに揃えた場合は、斜め４５度の方向からの視線は遮れるものの、水平方向からの視線は遮ることができない。２枚の板ガラスの不透明部の高さを互いにずらした場合は、水平方向からの視線は遮れるものの、斜め４５度からの視線は遮ることができない。
【０００６】
この発明は、このような事情に鑑み、例えば浴室等のプライバシーが確保されるべき室に設けられる窓装置において、夜間は室内の人の像を外からは判別不能もしくは判別困難にするとともに、昼間は外から十分に採光できるようにすることを目的とする。
【課題を解決するための手段】
【０００７】
上記問題点を解決するために、本発明に係る窓装置は、互いに平行に対向するように配置された第１板ガラス及び第２板ガラスを備え、前記第１板ガラスにおける前記第２板ガラスを向く第１面のほぼ全域に半透明膜が被膜され、前記第２板ガラスが、光を散乱させる光散乱ガラスであることを特徴とする（特許請求せず）。
この特徴構成によれば、目隠しシート等だけで光遮蔽する場合よりも半透明膜の透過率を高くしても、夜間照明された室内の人影を外部から十分に判別不能ないしは判別困難にすることができる。したがって、昼間の室内への採光度を高くできる。
【０００８】
窓装置全体の可視光に対する透過率は、好ましくは１％〜２０％程度であり、より好ましくは５％〜１０％程度である。これによって、夜間室内の人影を十分に判別不能ないしは判別困難にでき、しかも昼間の室内への採光度を十分に確保できる。
前記第１面に占める前記半透明膜の面積割合は、好ましくは９０％以上、より好ましくは９５％以上である。これによって、夜間室内の人影を確実に判別不能ないしは判別困難にすることができる。前記半透明膜が前記第１面の全体に設けられていてもよい。
【０００９】
本発明に係る窓装置は、互いに平行に対向するように配置された第１板ガラス及び第２板ガラスを備え、前記第１板ガラスにおける前記第２板ガラスを向く第１面のほぼ全域に半透明膜が被膜され、前記第２板ガラスが、光を散乱させる光散乱ガラスであり、前記第１面には、前記半透明膜が被膜されていない非被膜部が一様に分布されていることを特許請求する特徴とする。これによって、昼間の室内への採光度を十分に確保できる。
前記非被膜部は、幅１ｍｍ以下の線状部からなる線模様を構成していることが好ましい。これによって、夜間室内の人影を十分に判別不能ないしは判別困難にする一方で、昼間の室内への採光度を十分に確保できる。
【００１０】
前記第１板ガラスと前記第２板ガラスとの間に気体層が形成され、前記第１面ひいては前記半透明膜が前記気体層に面していることが好ましい。これによって、半透明膜を保護でき、半透明膜の劣化を防止できる。また、半透明膜に汚れが付くのを回避でき、かつ窓装置を掃除しやくなる。さらに、気体層によって断熱することができる。
【００１１】
前記第１板ガラスと前記第２板ガラスとが、透明な接着剤層を介して貼り合わされていてもよい。これによって、半透明膜を保護でき、半透明膜の劣化を防止できる。また、半透明膜に汚れが付くのを回避でき、かつ窓装置を掃除しやくなる。さらに、窓ガラスを割れにくくできる。割れた場合はガラスの破片が飛び散るのを防止できる。よって、窓装置の防犯性及び安全性を高めることができる。
【００１２】
前記第２板ガラスが、片面に凸凹模様が形成され、かつ反対側の面が平坦な型板ガラスにて構成され、前記片面が前記第１板ガラスを向いていることが好ましい。これによって、第２ガラスに入射した光を確実に散乱させることができる。また、第２ガラスに汚れが付着しにくくなり、かつ掃除しやくなる。
【発明の効果】
【００１３】
本発明に係る窓装置によれば、夜間は外部から見た室内の人影を十分に判別不能ないしは判別困難にすることができ、昼間は室内への採光性を十分に確保できる。
【図面の簡単な説明】
【００１４】
【図１】図１は、本発明の第１実施形態を示し、窓装置を室内側から見た正面図である。
【図２】図２は、上記窓装置の図１のＩＩ−ＩＩ線に沿う、窓枠及び外壁を省略した断面図である。
【図３】図３は、本発明の第２実施形態を示し、窓装置の断面図である。
【図４】図４（ａ）は、実施例１において、夜間、浴室内の被験者が窓装置から２０ｃｍ離れた位置にいるとき、屋外から上記窓装置を撮影した写真である。図４（ｂ）は、比較例１において、夜間、浴室内の被験者が窓装置から２０ｃｍ離れた位置にいるとき、屋外から上記窓装置を撮影した写真である。
【図５】図５（ａ）は、実施例１において、夜間、浴室内の被験者が窓装置から５０ｃｍ離れた位置にいるとき、屋外から上記窓装置を撮影した写真である。図５（ｂ）は、比較例１において、夜間、浴室内の被験者が窓装置から５０ｃｍ離れた位置にいるとき、屋外から上記窓装置を撮影した写真である。
【図６】図６（ａ）は、実施例１において、夜間、浴室内の被験者が窓装置から１ｍ離れた位置にいるとき、屋外から上記窓装置を撮影した写真である。図６（ｂ）は、比較例１において、夜間、浴室内の被験者が窓装置から１ｍ離れた位置にいるとき、屋外から上記窓装置を撮影した写真である。
【図７】図７（ａ）は、実施例１において、夜間、浴室内の被験者が窓装置から２ｍ離れた位置にいるとき、屋外から上記窓装置を撮影した写真である。図７（ｂ）は、比較例１において、夜間、浴室内の被験者が窓装置から１ｍ離れた位置にいるとき、屋外から上記窓装置を撮影した写真である。
【図８】図８は、実施例１において、日中の浴室内を撮影した写真である。
【発明を実施するための形態】
【００１５】
＜第１実施形態＞
以下、本発明の実施形態を図面にしたがって説明する。
図１に示すように、建物の浴室の外壁２に窓装置１が設けられている。図２に示すように、窓装置１の窓ガラスは、第１板ガラス１０と第２板ガラス２０を備えた複層ガラスにて構成されている。
【００１６】
図２に示すように、第１板ガラス１０と第２板ガラス２０は互いに対向するようにして平行に配置されている。第１板ガラス１０が浴室側（図２において右）に配置され、第２板ガラス２０が屋外側（図２において左）に配置されている。第１板ガラス１０と第２板ガラス２０とは、互いに少し離れて配置されており、これら板ガラス１０，２０どうしの間に気体層３０が形成されている。気体層３０の外周部はシール部材３１によってシールされている。気体層３０には空気が密封されている。気体層３０の厚みは、好ましくは５ｍｍ〜２０ｍｍ程度であり、より好ましくは１０ｍｍ〜１５ｍｍ程度である。
【００１７】
第１板ガラス１０はフロートガラスにて構成されている。第１板ガラス１０の厚みは好ましくは１ｍｍ〜５ｍｍ程度であり、より好ましくは３ｍｍ程度である。図２において、第１板ガラス１０の厚みは、気体層３０の厚みに対して誇張されている。
【００１８】
第１板ガラス１０のガラス材自体は無色透明であり、かつその両面１１，１５は共に平坦になっている。この第１板ガラス１０における第２板ガラス２０を向く第１面１１（気体層３０側の面）に半透明膜１２が被膜されている。半透明膜１２の可視光に対する遮蔽率は、目隠しシート等の半透明シートだけで浴室の目隠しをした場合における上記半透明シートの所要遮蔽率よりも大きく、かつ第２板ガラス２０と組み合わせずに当該半透明膜１２だけで浴室の目隠しをした場合における所要遮蔽率よりも大きい。具体的には、半透明膜１２の可視光に対する透過率は、０．１％〜１０％程度が好ましく、０．５％〜５％程度がより好ましい。半透明膜１２の厚みは、３μｍ〜３０μｍ程度が好ましく、１０μｍ〜１５μｍ程度がより好ましい。図２において、半透明膜１２の厚みは、板ガラス１０，２０の厚み及び気体層３０の厚みに対して誇張されている。半透明膜１２の表面は、第１板ガラス１０のガラス材自体の表面よりも粗い。半透明膜１２の表面粗さＲａは、０．２μｍＲａ〜３μｍＲａ程度が好ましく、０．５μｍＲａ〜１μｍＲａ程度がより好ましい。
【００１９】
図１に示すように、半透明膜１２は、複数の正方形の膜部分１２ａにて構成されている。これら膜部分１２ａが縦横に整列されることで、半透明膜１２が全体として碁盤模様状ないしは升目模様状になっている。各膜部分１２ａの一辺の長さは、１ｃｍ〜５ｃｍ程度が好ましく、２ｃｍ〜４ｃｍ程度がより好ましく、３ｃｍ程度が一層好ましい。縦横に隣接する膜部分１２ａどうしの間隔は、十分に狭く、各膜部分１２ａの縦横の寸法と比べると非常に小さい。この膜部分１２ａどうしの間の部分は、膜１２が被膜されておらず、透明な非被膜部１３になっている。非被膜部１３は、多数の細い線状部１３ａ，１３ｂからなる線模様を構成している。ここでは、非被膜部１３は格子状になっている。つまりは、非被膜部１３は、上下に延びる複数の垂直線状部１３ａと、水平に延びる複数の水平線状部１３ｂとを含み、これら線状部１３ａ，１３ｂが互いに交差している。非被膜部１３の幅は０．１ｍｍ〜１ｍｍ程度が好ましく、０．３ｍｍ〜０．７ｍｍ程度がより好ましく、０．５ｍｍ程度が一層好ましい。
【００２０】
半透明膜１２は、インクをシルク印刷することによって形成されている。上記インクとして、例えばＵＶ塗料が挙げられる。ＵＶ塗料は、ＵＶ反応性樹脂に顔料等を混ぜたものである。ＵＶ反応性樹脂は、ＵＶ（紫外線）によって硬化反応を起こす性質を有しており、好ましくは無色透明である。上記顔料としては、例えば白色系顔料が用いられているが、これに限られず、グレー系でもよく、赤、黄色等の有色系でもよい。半透明膜１２は、例えば白色系の半透明になっているが、これに限られず、グレー系や、赤、黄色等の有色系の半透明になっていてもよい。１の膜部分１２ａと他の膜部分１２ａの色合いが互いに異なっていてもよい。上記インクを板ガラス１０にシルク印刷にて塗布した後、ＵＶを照射することでインクを硬化させる。これによって、半透明膜１２を形成できる。
【００２１】
第２板ガラス２０は、光を散乱させる光散乱ガラスである。ここでは、第２板ガラス２０として型板ガラス（ミストガラスを含む）が用いられている。第２板ガラス２０の片面２２（第２面）には、その全面にわたって凸部２３ａと凹部２３ｂからなる凸凹模様２３が形成されている。この面２２が、気体層３０に面して、第１板ガラス１０と対向している。第２板ガラス２０の反対側の面２５（屋外を向く面）は平坦になっている。第２板ガラス２０の厚みは好ましくは１ｍｍ〜７ｍｍ程度であり、より好ましくは４ｍｍ程度である。図２において、第２板ガラス２０の厚みは、気体層３０の厚みに対して誇張されている。第２板ガラス２のガラス材は無色透明である。
【００２２】
第２板ガラス２０の凸凹模様２３は、ミスト地でもよく、梨地でもよく、かすみ地でもよい。凸凹模様２３の凸部２３ａの高さ（凹部２３ｂの深さ）は、０．１ｍｍ〜１ｍｍ程度が好ましい。凸部２３ａどうしの配置間隔（ピッチ）は、０．１ｍｍ〜数ｍｍ程度が好ましい。
【００２３】
窓装置１全体の可視光に対する透過率は、１％〜２０％程度が好ましく、５％〜１０％程度がより好ましい。
【００２４】
上記構成の窓装置１の作用について説明する。
夜間、照明された浴室内の光が第１板ガラス１０に入射すると、その入射光の一部が反射され、他の一部がガラス１０又は半透明膜１２に吸収される。また、半透明膜１２を透過する光は、半透明膜１２の粗い表面で若干散乱する。さらに、狭い非被膜部１３を通る光は回折し得る。その後、気体層３０を経て第２板ガラス２０に入射した光は、凸凹模様２３によって散乱する。このように半透明膜１２と光散乱ガラス２０とを組み合わせることで、浴室からの光は窓装置１において一部が反射及び吸収され、かつ散乱されたうえで外部に出る。したがって、外部からは浴室内の人影を判別不能ないしは判別困難にすることができる。
【００２５】
昼間は屋外の日光等の光が、窓装置１に入射する。この光は、第２板ガラス２０の凸凹模様２３によって散乱される。さらに、散乱後の光の一部が半透明膜１２に吸収される。残余の光が浴室に入射する。半透明膜１２は、当該半透明膜１２だけで（第２板ガラス２０無しで）浴室の目隠しをする場合よりも、或いは目隠しシート等の半透明シートだけで夜間における浴室の目隠しをする場合よりも透過率を大きくできるから、昼間の浴室への入射光量を大きくできる。加えて、非被膜部１３に入射した光は、非被膜部１３においてほとんど吸収されることなく浴室に入射する。これによって、浴室を十分に明るくすることができる。
以上のように、窓装置１によれば、夜間は浴室内の人影を十分にぼかすことができ、昼間は採光性を十分に確保できる。外部からの視線の方向によって、室内が見えたり見えなかったりすることもない。
【００２６】
半透明膜１２は、窓装置１の内部の気体層３０に面しているため、剥離や劣化等を起こしにくい。したがって、目隠しシートにおける貼り替えに相当する再被膜作業を行なう必要性がほとんどない。また、窓装置１の室内側面１５及び室外側面２５は共に平坦であるため、汚れが付着しにくく、かつ清掃しやすい。
さらに、半透明膜１２の色彩や非被膜部１３の線模様によって、浴室の意匠性を高めることができる。
【００２７】
次に、本発明の他の実施形態を説明する。以下の実施形態において既述の形態と重複する構成に関しては、図面に同一符号を付して説明を省略する。
＜第２実施形態＞
第２実施形態の窓装置１Ａは、第１板ガラス１０と第２板ガラス２０とが重ねられて、合わせガラスを構成している。第１板ガラス１０と第２板ガラス２０の間には、透明な接着層４０が介在されている。接着層４０を介して、第１板ガラス１０と第２板ガラス２０が接着されて一体化されている。第１板ガラス１０の第１面１１ひいては半透明膜１２は、接着層４０に面している。第２板ガラス２０の第２面２２ひいては凸凹模様２３は、接着層４０に面している。
【００２８】
窓装置１Ａにおいても、夜間は浴室内からの光を半透明膜１２において一部吸収でき、更に凸凹模様２３において散乱させることができる。これによって、外部からは浴室内の人影を判別不能ないしは判別困難にすることができる。昼間は日光等の光を窓装置１Ａから浴室内に十分に取り入れることができる。半透明膜１２が剥離、劣化等を起こしにくい点、平坦な外面１５，２５には汚れが付きにくく掃除し易い点等も第１実施形態と同様である。加えて、第２実施形態においては、板ガラス１０，２０がひび割れたとしても、接着層４０によって板ガラス１０，２０の一体性を保持でき、破片が飛び散らないようにすることができる。これによって、窓装置１の防犯性や安全性を高めることができる。
【００２９】
本発明は、上記の実施形態に限定されるものではなく、発明の趣旨に反しない限りにおいて種々の改変をなすことができる。
例えば、半透明膜１２の形成方法は、シルク印刷に限らず、塗装、エッチング、サンドブラスト、蒸着、フィルム貼り付けなどの種々の膜形成方法を採用できる。
非被膜部１３の線模様としては、種々の模様を採用できる。例えば、非被膜部１３が三角格子状であってもよい。非被膜部１３が点状であってもよい。非被膜部１３の模様は幾何学模様に限られず、様々なモチーフを表した創作模様であってもよい。
第１面１１の全域が半透明膜１２で覆われていてもよい。非被膜部１３が設けられていなくてもよい。
第１板ガラス１０が室外側に配置され、かつ第２板ガラス２０が室内側に配置されていてもよい。
第２板ガラス２０として、型板ガラス（ミストガラスを含む）に代えて、スリガラス等の曇りガラス（半透明ガラス）を用いてもよい。更には、第２板ガラス２０は、光を散乱させるガラスであればよく、型板ガラスやスリガラス等の、表面に凸凹模様があるガラスに限られず、内部に泡が多数形成された泡入りガラスであってもよい。
本発明の窓装置１は、特にプライバシーを確保すべき場所の窓に適用でき、浴室の窓に限られず、トイレ、脱衣場等の窓にも適用できる。
【実施例１】
【００３０】
実施例を説明する。もちろん、本発明は、以下の実施例に限定されるものではない。
実施例１では、第１実施形態（図１、図２）と同様の窓装置１を作製した。
具体的にはガラス１０にインクをシルク印刷することによって半透明膜１２を形成した。
上記インクとして、奥野製薬株式会社製の白色系ＵＶ塗料を用いた。
半透明膜１２の厚みは、約１０μｍであった。
各膜部分１２ａの大きさは、３０ｍｍ角であった。
非被膜部１３の幅は、０．５ｍｍであった。
第１面１１における半透明膜１２の面積占有率は、約９６．６％であり、非被膜部１３の面積占有率は、約３．４％であった。
半透明膜１２を被膜した第１板ガラス１０（非被膜部１３付き）の可視光に対する透過率は、９．８１％であった。なお、上記透過率は、測定スペクトルのうち可視光域（３８０ｎｍ〜８１０ｎｍ）の平均値とした（以下、同じ）。
窓装置１全体としての透過率は、７．３６％であった。
第２板ガラス２０として、第２面２２がミスト地（細かい凸凹）になったガラスを用いた。第２板ガラス２０の可視光に対する透過率は、２３．５７％であった。
ガラス１０，２０の厚みは３ｍｍであった。気体層３０の厚みは１２ｍｍであった。
浴室の照明器は、窓装置１と直交する浴室側壁の上側部分に２個並べられていた（図８参照）。これら照明器の窓装置の中央付近からの距離は、それぞれ約１ｍと約１．８ｍであった。
上記照明器は、パナソニック（ナショナル）EFG15EDパルックボールスパイラルＧ型、消費電力６０ワットであった。
【００３１】
図４〜図７に示すように、夜間（午後８時頃）、浴室を上記照明器にて照明した状態で被検者が浴室内に立ち、屋外から上記浴室の窓装置を観察した。
図４（ａ）に示すように、浴室内の被験者が窓装置１から２０ｃｍ離れた位置にいるとき、外部からはうっすらと影が確認されたが、肌の色は認識できず許容範囲であった。
図５（ａ）に示すように、浴室内の被験者が窓装置１から５０ｃｍ離れた位置にいるとき、外部からは目を凝らして影らしきものが認識できる程度であり、まったく問題なかった。
図６（ａ）に示すように、被験者が窓装置１から１ｍ離れた位置にいるとき、外部からは被験者の像をまったく判別できなかった。
図７（ａ）に示すように、被験者が窓装置１から２ｍ離れた位置にいるとき、外部からは被験者の像をまったく判別できなかった。
図８に示すように、日中は外部から十分に採光することができた。なお、図８の写真の撮影時刻は午前７時であり、天候は晴れであった。この浴室の窓の方角は、北であった。
【００３２】
［比較例１］
比較例１として、実施例１の窓装置１における半透明膜１２を省き、複層ガラスだけの状態で外部からの見え具合を確認した。
図４（ｂ）に示すように、浴室内の被験者が窓装置１から２０ｃｍ離れた位置にいるとき、外部から上記被験者をかなりはっきりと判別できた。
図５（ｂ）に示すように、浴室内の被験者が窓装置１から５０ｃｍ離れた位置にいるときも、外部から上記被験者を判別できた。
図６（ｂ）に示すように、浴室内の被験者が窓装置１から１ｍ離れた位置にいるときも、外部から上記被験者を認めることができた。
図７（ｂ）に示すように、浴室内の被験者が窓装置１から２ｍ離れた位置にいるときも、外部から上記被験者を認めることができた。
【００３３】
［比較例２］
比較例２では、実施例１の窓装置１における第１面１１に半透明膜１２を被膜するのに代えて、目隠しシートを被せた。目隠しシートとして、明和グラビア株式会社製BBP-4651BEを用いた、この窓装置の透過率は０．０７％であった。したがって、比較例２の窓装置の透過率は、実施例１の窓装置１の１０５分の１倍であった。この比較例２の窓装置は、夜間の目隠しにはなるものの、昼間の採光性が悪かった。
【産業上の利用可能性】
【００３４】
本発明は、家屋の浴室やトイレの窓として適用可能である。
【符号の説明】
【００３５】
１      窓装置
１０    第１板ガラス
１１    第１面
１２    半透明膜
１２ａ  膜部分
１３    非被膜部
１３ａ  垂直細線
１３ｂ  水平細線
１５    室内側面
２０    第２板ガラス
２２    第２面
２３    凸凹模様
２３ａ  凸部
２３ｂ  凹部
２５    室外側面
３０    気体層
３１    シール部材
４０    接着層
【図１】
0005628944.tif 000002
【図２】
0005628944.tif 000003
【図３】
0005628944.tif 000004
【図４】
0005628944.tif 000005
【図５】
0005628944.tif 000006
【図６】
0005628944.tif 000007
【図７】
0005628944.tif 000008
【図８】
0005628944.tif 000009